(57)【要約】【課題】再加熱用熱交換器の洗浄時に、貯湯タンクに貯留される高温水の水温低下を抑制できる給湯機および給湯機の運転方法を提供することを課題とする。【解決手段】ヒートポンプユニット８で加熱された高温水を鉛直方向の上部から導入し、加熱される前の低温水を鉛直方向の下部から導入し、高温水を低温水の上方に貯留する貯湯タンク１と、貯湯タンク１から浴槽２に供給されたふろ水と貯湯タンク１に貯留されている高温水の間で熱交換させて浴槽２に供給されたふろ水を再加熱する追い焚き熱交換器２４と、コントローラ１６と、を備える給湯機Ｓとする。そして、コントローラ１６は、貯湯タンク１に貯留されている高温水と低温水の境界部分に中温水が貯留していると判定したときには中温水を追い焚き熱交換器２４に供給して、当該追い焚き熱交換器２４を洗浄するという特徴を有する。また、その給湯機Ｓの運転方法とする。【選択図】図１
2014163534.tif 000002
【特許請求の範囲】
【請求項１】
液体を加熱する加熱装置と、
前記加熱装置で加熱された高温の前記液体を鉛直方向の上部から導入し、加熱される前の低温の前記液体を鉛直方向の下部から導入して、前記高温の液体を前記低温の液体の上方に貯留する貯湯タンクと、
前記貯湯タンクに貯留されている前記液体の水温を検知する温度センサと、
前記温度センサが検知する前記液体の水温に基づいて、前記貯湯タンクに貯留されている前記高温の液体と前記低温の液体の境界部分に中温の前記液体が貯留されているか否かを判定する機能を有するコントローラと、
前記貯湯タンクから給湯端末に供給された前記液体と前記貯湯タンクに貯留されている前記高温の液体の間で熱交換させて前記給湯端末に供給された前記液体を再加熱する再加熱用熱交換器と、
前記貯湯タンクの、前記上部と前記下部の中間部分に形成される中間液体取出口と前記再加熱用熱交換器を接続する中間液体用配管と、を備え、
前記コントローラは、
前記貯湯タンクの前記中間部分に前記中温の液体が貯留されていると判定したときに、前記中間液体取出口から前記中間液体用配管に前記液体を導入させ、前記中間液体用配管に導入された前記液体を前記再加熱用熱交換器に供給して当該再加熱用熱交換器を洗浄することを特徴とする給湯機。
【請求項２】
前記コントローラは、
特定の時間帯の直前に前記再加熱用熱交換器を洗浄し、さらに、前記再加熱用熱交換器の洗浄が終了した後、前記特定の時間帯に前記加熱装置を始動して前記液体を加熱することを特徴とする請求項１に記載の給湯機。
【請求項３】
前記特定の時間帯は、電力の夜間割引料金時間帯であることを特徴とする請求項２に記載の給湯機。
【請求項４】
前記給湯端末として、前記貯湯タンクから供給される前記液体をふろ水として溜める浴槽を備えることを特徴とする請求項１乃至請求項３のいずれか１項に記載の給湯機。
【請求項５】
コントローラと、
液体を加熱する加熱装置と、
前記加熱装置で加熱された高温の前記液体を鉛直方向の上部から導入し、加熱される前の低温の前記液体を鉛直方向の下部から導入して、前記高温の液体を前記低温の液体の上方に貯留する貯湯タンクと、
前記貯湯タンクから給湯端末に供給された前記液体と前記貯湯タンクに貯留されている前記高温の液体の間で熱交換させて前記給湯端末に供給された前記液体を再加熱する再加熱用熱交換器と、
前記貯湯タンクの、前記上部と前記下部の中間部分に形成される中間液体取出口と前記再加熱用熱交換器を接続する中間液体用配管と、
前記貯湯タンクに貯留されている前記液体の水温を検知する温度センサと、を備える給湯機の運転方法であって、
前記再加熱用熱交換器を洗浄するときに、前記コントローラが、
前記温度センサが検知する前記液体の水温に基づいて、前記貯湯タンクに貯留されている前記高温の液体と前記低温の液体の境界部分に中温の前記液体が貯留されているか否かを判定する手順と、
前記中温の液体が前記貯湯タンクに貯留されていると判定したときに前記中間液体取出口から前記中間液体用配管に前記液体を導入させるとともに前記中間液体用配管に導入された前記液体を前記再加熱用熱交換器に供給する手順と、を実行することを特徴する給湯機の運転方法。
【発明の詳細な説明】
【技術分野】
【０００１】
本発明は、給湯機および給湯機の運転方法に関する。
【背景技術】
【０００２】
例えば特許文献１には、「浴槽水の水位を検知する水位検知部５７を備え、追い焚き運転又は浴槽に対して清水を供給する運転が行われて浴槽水の水位が予め設定される基準水位以上となった後に、浴槽水の水位が前記基準水位より低い状態が所定の水位監視時間に亘って検知された場合、浴槽水の排水が行われたものとして、清水を追い焚き熱交換器２４に供給して洗浄する洗浄動作が行われることを特徴とする。」と記載されている（要約参照）。
【先行技術文献】
【特許文献】
【０００３】
【特許文献１】特開２０１０−１９０４７９号公報
【発明の概要】
【発明が解決しようとする課題】
【０００４】
特許文献１に記載される給湯機の追い焚き熱交換器（再加熱用熱交換器）は、清水が流通する配管が貯湯タンク内部に配設され、清水がこの配管を流通するときに、貯湯タンクに貯留される高温の湯水との熱交換で加熱されるように構成されている。したがって、追い焚き熱交換器の洗浄時にも清水と高温の湯水が熱交換することになり、貯湯タンクに貯留されている高温の湯水の水温が、追い焚き熱交換器の洗浄時に低下するという問題がある。
【０００５】
そこで本発明は、再加熱用熱交換器の洗浄時に、貯湯タンクに貯留される高温水の水温低下を抑制できる給湯機および給湯機の運転方法を提供することを課題とする。
【課題を解決するための手段】
【０００６】
前記課題を解決するため本発明は、加熱装置で加熱された高温の液体を鉛直方向の上部から導入し、加熱される前の低温の液体を鉛直方向の下部から導入する貯湯タンクと、貯湯タンクから給湯端末に供給された液体と貯湯タンクに貯留している高温の液体の間で熱交換させて給湯端末に供給された液体を再加熱する再加熱用熱交換器と、コントローラと、を備える給湯機および給湯機の運転方法とする。そして、コントローラは、貯湯タンクに貯留されている高温の液体と低温の液体の境界部分の中温の液体を再加熱用熱交換器に供給して当該再加熱用熱交換器を洗浄するという特徴を有する。
【発明の効果】
【０００７】
本発明によると、再加熱用熱交換器の洗浄時に、貯湯タンクに貯留される高温の湯水の水温低下を抑制できる給湯機および給湯機の運転方法を提供できる。
【図面の簡単な説明】
【０００８】
【図１】実施例１に係る給湯機の構成を示す図である。
【図２】（ａ）はコントローラおよび操作部の機能ブロックを示す図、（ｂ）は操作部の操作面を示す図である。
【図３】実施例１の給湯機における湯張り回路を示す図である。
【図４】実施例１の給湯機における洗浄回路を示す図である。
【図５】洗浄運転手順を示すフローチャートである。
【図６】（ａ）は操作部の表示パネルに表示されるメニュー画面を示す図、（ｂ）は「ｅｃｏスマート洗浄」の項目にカーソルが移動した状態を示す図、（ｃ）は「ｅｃｏスマート洗浄」の項目が「入」に切り替わった状態を示す図である。
【図７】利用者が中温水を利用するか否かを設定可能な給湯機の洗浄運転手順を示すフローチャートである。
【図８】ヒートポンプユニットが特定の時間帯に貯湯タンクの低温水を加熱するように設定されている給湯機の洗浄運転手順を示すフローチャートである。
【図９】実施例２に係る給湯機の構成を示す図である。
【発明を実施するための形態】
【０００９】
以下、適宜図面を参照しながら、本発明の実施例を詳細に説明する。
【実施例１】
【００１０】
図１は、実施例１に係る給湯機の構成を示す図である。
図１に示すように、実施例１に係る給湯機Ｓは、加熱装置（ヒートポンプユニット８）で加熱された高温の液体（以下、「高温水」という）を貯留する貯湯タンク１を備える。この給湯機Ｓへは、給水源（例えば、水道管２２）から配管７，２３ａ，２３ｂ，３２，３４を経て清水が供給される。清水は加熱される前の低温の液体（以下、「低温水」という）である。配管２３ａには減圧弁６が備わり、水道管２２における水道水の圧力が適宜減圧される。
なお、図１における符号Ｒ１は、矢印の方向のみに液体を流通させる逆止弁である。
【００１１】
このように、実施例１の給湯機Ｓは、水道管２２から供給される清水（低温水）をヒートポンプユニット８で加熱して高温水とし、貯湯タンク１に貯留するものである。
また、給湯機Ｓには、給湯端末として、浴槽端末（浴槽２）や一般給湯端末（混合栓１９）が接続される。そして、浴槽２には、貯湯タンク１に貯留されている高温水が供給され、ふろ水として溜められる。
【００１２】
ここで、清水は、利用者が直接接触し得る状態を未だ経ていない使用前の水（液体）を指し、水道管２２等の給水源から供給される水道水を含むものであり、混合栓１９や浴槽２等に供給されて汚れを含む使用後の液体（特に、一度浴槽２に供給されたふろ水）とは区別される。
【００１３】
給湯機Ｓは、給湯熱交換器４と再加熱用熱交換器（追い焚き熱交換器２４）の２つの熱交換器を備える。給湯熱交換器４は、水道管２２から供給される清水と貯湯タンク１から導出される高温水との間で熱交換させて清水を加熱し、高温水を生成する。また、追い焚き熱交換器２４は、浴槽２から導出されたふろ水と貯湯タンク１に貯留されている高温水との間で熱交換させてふろ水を再加熱する。実施例１の給湯機Ｓにおいて、追い焚き熱交換器２４は貯湯タンク１の内部に収容されて備わっている。
さらに、給湯機Ｓは、湯張り，追い焚き，給湯等を行うために利用者が操作する風呂リモコン４５や台所リモコン４６等の操作部６０と、該操作部６０からの操作指令等に従って給湯機Ｓ全体を統括的に制御するコントローラ１６とを備える。
【００１４】
図２の（ａ）はコントローラおよび操作部の機能ブロックを示す図、（ｂ）は操作部の操作面を示す図である。
実施例１のコントローラ１６は、給湯機Ｓを電子制御する制御装置であり、図２の（ａ）に示すように、操作部６０から送信される信号や後記する温度センサ４７等の種々のセンサから送信される信号等に応じてコントローラ１６を制御する本体側マイコン（Microcomputer：マイクロコンピュータ）１６ａ、各種データを記憶する本体側データ記憶部１６ｂ、操作部６０（風呂リモコン４５，台所リモコン４６）との通信インタフェースとなる通信部１６ｃ、および、操作部６０や種々のセンサ等から送信される信号を本体側マイコン１６ａに適合した入力信号に変換する増幅回路やＡ／Ｄ変換回路等の入力インターフェース（図示せず）や、本体側マイコン１６ａからの制御信号の出力信号に応じて給湯循環ポンプ１８等のアクチュエータを駆動するための駆動回路（図示せず）や、リレー駆動回路等の出力インターフェース（図示せず）を備えて構成されている。
【００１５】
コントローラ１６は、図示しないＲＯＭ（Read Only Memory）等に記憶されているプログラムを本体側マイコン１６ａが実行して、給湯機Ｓの各種アクチュエータ（電磁弁２８（図１参照），給湯ポンプ２７（図１参照），給湯循環ポンプ１８（図１参照）等）およびヒートポンプユニット８（図１参照）などを制御し、湯張り，追い焚き，給湯等の各モードで給湯機Ｓを運転する。
【００１６】
また、実施例１の操作部６０（風呂リモコン４５，台所リモコン４６）は、利用者が操作する操作スイッチ６０ｂ、各種の情報を表示する表示パネル６０ｃ、操作スイッチ６０ｂから送信される信号等に応じて操作部６０を制御するリモコン側マイコン６０ａ、各種データを記憶するリモコン側データ記憶部６０ｄ、および、コントローラ１６との通信インタフェースとなる通信部６０ｅを備えて構成されている。
コントローラ１６の通信部１６ｃと操作部６０（風呂リモコン４５，台所リモコン４６）の通信部６０ｅは、信号線を利用する有線方式、または、電波や赤外線などを利用する無線方式のいずれかで互いにデータ通信可能に構成される。
なお、風呂リモコン４５と台所リモコン４６は同じ構成であってもよいが、それぞれが必要な機能だけを備える構成であってもよい。
【００１７】
操作部６０は、例えば図２の（ｂ）に示すように表示パネル６０ｃと操作スイッチ６０ｂが配置される操作面を有する。なお、図２の（ｂ）に示す、操作スイッチ６０ｂの種類や配置、表示パネル６０ｃの表示内容や配置は一例に過ぎず、この配置に限定されるものではない。
【００１８】
操作部６０のリモコン側マイコン６０ａは、図示しないＲＯＭ等に記憶されているプログラムを実行し、利用者による操作スイッチ６０ｂの操作やコントローラ１６から送信されるデータに基づいて操作部６０を制御する。例えば、利用者が操作スイッチ６０ｂ（ふろ温度スイッチ６０ｂ１）を操作して浴槽２（図１参照）に溜めるふろ水の設定温度を変更した場合、リモコン側マイコン６０ａは、通信部６０ｅを介し、浴槽２に溜めるふろ水の新たな設定温度を示す信号をコントローラ１６に送信する。本体側マイコン１６ａは通信部１６ｃを介して当該信号を取得し、浴槽２（図１参照）のふろ水が新たな設定温度になるように給湯機Ｓを制御する。例えば、本体側マイコン１６ａは、浴槽２に溜まっているふろ水の水温が新たな設定温度になるように給湯機Ｓを追い焚き運転する。
また、リモコン側マイコン６０ａは、浴槽２のふろ水の新たな設定温度を表示パネル６０ｃに表示する。
【００１９】
図１の説明に戻り、給湯機Ｓは、給湯熱交換器４で加熱された高温水を給湯端末（混合栓１９などの一般給湯端末，浴槽２などの浴槽端末）に供給する給湯回路と、浴槽２から導出されたふろ水を、貯湯タンク１に貯留されている高温水（この場合には、熱媒体として機能する）と追い焚き熱交換器２４で熱交換させて浴槽２に戻す追い焚き回路と、を備える。
【００２０】
追い焚き回路は、浴槽２の水流通口２ｉから配管２９に導入されたふろ水が、配管２５，５８を流通して入口２４ｉから追い焚き熱交換器２４に導入され、貯湯タンク１に貯留されている高温水との熱交換で再加熱されたふろ水が出口２４ｏから配管３に導入される回路である。さらに、追い焚き回路は、追い焚き熱交換器２４の出口２４ｏから配管３に導入されたふろ水が配管３を流通して水流通口２ｏから浴槽２に導入される回路を含む。配管２９から分岐する配管２５には給湯ポンプ２７が備わり、給湯ポンプ２７が稼動することによって、浴槽２のふろ水が水流通口２ｉから配管２９に導入されて追い焚き熱交換器２４まで流通する。
なお、配管２５と配管５８の接続点には流量調整弁３１が備わり、配管２５から配管５８に流入するふろ水の流量が調整可能に構成されている。また、流量調整弁３１は配管６３を介して配管３と接続される。
【００２１】
配管２９は浴槽２の水流通口２ｉと接続される配管であり、配管２９には、浴槽２に溜まっているふろ水の水位を検知する水位検知部５７が備わっている。水位検知部５７は検知した水位を所定の信号（水位信号）に変換してコントローラ１６に送信する。コントローラ１６は水位検知部５７から送信される水位信号に基づいて浴槽２に溜まっているふろ水の水位を演算する。
【００２２】
また、配管２９には、当該配管２９内の水温を検知する温度センサ５６が備わっている。温度センサ５６は検知した水温を所定の信号（水温信号）に変換してコントローラ１６に送信する。コントローラ１６は温度センサ５６から送信される水温信号に基づいて配管２９内の水温を演算する。そして、コントローラ１６は、配管２９内の水温を浴槽２におけるふろ水の水温として給湯機Ｓを制御する。
また、配管３には、当該配管３内の水温を検知する温度センサ５９が備わっている。温度センサ５９は検知した水温を水温信号に変換してコントローラ１６に送信する。コントローラ１６は温度センサ５９から送信される水温信号に基づいて配管３内の水温を演算する。そして、コントローラ１６は、配管３内の水温を、浴槽２に溜められるふろ水の水温として給湯機Ｓを制御する。
【００２３】
例えば、給湯機Ｓが追い焚き運転されるとき、流量調整弁３１の開度の減少等によって配管５８を流通するふろ水の単位時間当たりの流量が減少すると、ふろ水が追い焚き熱交換器２４を流通する時間が長くなるため、ふろ水が貯湯タンク１の高温水から熱量を受ける時間が長くなりふろ水は高温に加熱される。
一方、流量調整弁３１の開度の増大等によって配管５８を流通するふろ水の単位時間当たりの流量が増加すると、ふろ水が追い焚き熱交換器２４を流通する時間が短くなるため、ふろ水が貯湯タンク１の高温水から熱量を受ける時間が短くなりふろ水の加熱が抑制される。
つまり、コントローラ１６は、ふろ水を高温に沸き上げるときほど開度が減少するように流量調整弁３１を制御する。
【００２４】
給湯回路には、高温水を混合栓１９（一般給湯端末）に供給する一般給湯回路と、高温水を浴槽２（浴槽端末）に供給する湯張り回路とが含まれる。なお、一般給湯端末は混合栓１９のほか、いずれも図示しない蛇口やシャワーなどがある。
【００２５】
一般給湯回路は、水道管２２から供給される清水（低温水）が、配管７を流通し、給湯熱交換器４で、貯湯タンク１から導出された高温水と熱交換して加熱された後に配管４０を混合栓１９まで流通する回路である。
一般給湯回路（例えば配管４０）には、給湯流量センサ３８が配設され、混合栓１９から利用者等に供給される高温水（給湯熱交換器４で加熱された清水）の流量を検知する。給湯流量センサ３８は検知した流量を所定の信号（流量信号）に変換してコントローラ１６に送信する。コントローラ１６は給湯流量センサ３８から送信される流量信号に基づいて、混合栓１９から利用者等に供給される高温水の供給量を演算する。
【００２６】
また、湯張り回路は、水道管２２から供給される清水が配管７，２３ａ，２３ｃを流通し、第一混合弁１４で、貯湯タンク１から導出された高温水と混合した後に配管２９を浴槽２まで流通する回路である。
なお、配管２９には電磁弁２８が備わり、電磁弁２８が閉弁した時には配管２９における高温水の流通が遮断される。
【００２７】
貯湯タンク１には、水道管２２から供給される清水が、配管７，２３ａ、減圧弁６、および配管２３ｂを流通して、下部（例えば、底部）に形成される下部流通口１０ｃから導入される。また、水道管２２から貯湯タンク１の下部に導入されて貯留される清水が、下部流通口１０ｃ、配管３２、三方弁３３、および配管３４を流通して、ヒートポンプユニット８に導入される。そして、清水がヒートポンプユニット８で加熱されて高温水となった後に配管３５を流通して貯湯タンク１の上部に導かれて貯湯タンク１内に貯留される。
【００２８】
このように貯湯タンク１には、ヒートポンプユニット８で加熱された高温水（加熱された高温の液体）が上部から導入され、水道管２２から供給される清水（加熱される前の低温の液体）が下部から導入される。そして、この構成により、貯湯タンク１には、低温水の上方に高温水が貯留される。
したがって、貯湯タンク１には上部に高温水が貯留されて下部に低温水が貯留されており、上部に貯留される高温水と、下部に貯留される低温水（水道管２２から供給される清水など）と、の境界部分に境界層が形成される。即ち、貯湯タンク１内の下部から上部に向かって、相対的に低温，中温（境界層），高温の温度分布となっている。例えば、貯湯タンク１内の上部で約９０℃、境界層で約５０℃（中温）となっている。そして、貯湯タンク１内に境界層を形成する中温の液体を「中温水」と称する。つまり、中温水は水温が約５０℃の液体であり、高温水と低温水の間に貯留される。
【００２９】
貯湯タンク１には、鉛直方向に沿って複数の温度センサ４７，４８，４９，５０，５１，５２が上部から下部に向かって配置されており、これらの温度センサ４７，４８，４９，５０，５１，５２により検知された貯湯タンク１内の水温を示す信号（タンク内水温信号）は、コントローラ１６に入力され、給湯機Ｓの制御に使用される。
【００３０】
配管３２は、貯湯タンク１の下部に形成される下部流通口１０ｃに接続され、配管３２には、貯湯タンク１の下部に貯留される低温水が導入される。したがって、ヒートポンプユニット８には低温水が導入される。
【００３１】
また、実施例１の貯湯タンク１には、貯留される高温水を取り出す第一取出口１０ａが上部に形成され、第一取出口１０ａには配管４１が接続されている。第一取出口１０ａが形成される上部には高温水が貯留されるため、第一取出口１０ａからは高温水が配管４１に導入される。
配管４１は給湯熱交換器４を介して配管４２と接続され、配管４２は、貯湯タンク１の下部（例えば、底部）に形成される戻り口１０ｂに接続する。また、配管４２には給湯循環ポンプ１８が配設されている。そして、給湯循環ポンプ１８が稼動すると、貯湯タンク１の上部に貯留される高温水が第一取出口１０ａから配管４１に導入される。配管４１に導入された高温水は、配管４１を流通して給湯熱交換器４に導入され、水道管２２から供給される清水と熱交換して水温が下がり低温水となる。この低温水は配管４２を流通して戻り口１０ｂから貯湯タンク１の下部に導入される。
【００３２】
また、配管４１からは配管９が分岐し、この配管９に第二混合弁１１が配設され、配管９は第二混合弁１１を介して配管１５と接続される。さらに、配管１５には第一混合弁１４が配設され、配管１５は第一混合弁１４を介して配管２９と接続される。
そして、第二混合弁１１の切り替えによって、配管４１を流通する高温水が配管９から配管１５に導入されて第一混合弁１４まで流通するように構成される。また、第一混合弁１４では、配管２３ｃを流通する清水と、配管１５を流通する高温水が混合される。第一混合弁１４で清水と混合して水温が低下した高温水は、利用者が所望する水温のふろ水として浴槽２に供給されて溜められる。
【００３３】
そして、実施例１の貯湯タンク１には、鉛直方向の上下の中間部分に貯留される液体を取り出す中間液体取出口（第二取出口１２）が形成される。第二取出口１２は、第一取出口１０ａが形成される上部と、下部流通口１０ｃが形成される下部と、の中間部分（鉛直方向の中間部分）に形成される。なお、第二取出口１２は、貯湯タンク１の上部に配置される追い焚き熱交換器２４よりも下方で、境界層が形成される位置（中温水が貯留される位置）に形成されていることが好ましい。
例えば第二取出口１２は、貯湯タンク１の上部から、当該貯湯タンク１の鉛直方向の高さの約２／５〜３／５の位置に形成されていることが好ましい。
【００３４】
第二取出口１２には、貯湯タンク１の中間部分から取り出された液体が流通する配管（中間液体用配管１３）が接続され、中間液体用配管１３は第二混合弁１１に接続される。つまり、第二取出口１２は中間液体用配管１３を介して第二混合弁１１に接続される。この構成によって、貯湯タンク１の上部（第一取出口１０ａ）から導出される高温水と、第二取出口１２から導出される中温水と、が第二混合弁１１で混合される。さらに、第一取出口１０ａから導出される高温水と混合して温度が上昇した中温水と、水道管２２から供給される清水と、が第一混合弁１４で混合される。なお、第一混合弁１４では、第一取出口１０ａから導出された高温水と、水道管２２から供給される清水を混合することも可能であるし、第二取出口１２から導出された中温水と、水道管２２から供給される清水を混合することも可能である。
【００３５】
このような構成によって、例えば、高温水と中温水を混合して、高温水の水温を下げることも可能になり、中温水と低温水（清水）を混合して、中温水の水温を下げることも可能になる。
また、第二取出口１２に接続される中間液体用配管１３が第二混合弁１１と接続することによって、第二取出口１２は、中間液体用配管１３、第二混合弁１１、配管１５、第一混合弁１４、配管２９、配管２５、流量調整弁３１、および配管５８を介して追い焚き熱交換器２４と接続される。そして、中温水と混合されて水温の低下した高温水や、清水と混合されて水温が低下した中温水を追い焚き熱交換器２４に供給することが可能になる。
【００３６】
図３は実施例１の給湯機における湯張り回路（網目）を示す図、図４は実施例１の給湯機における洗浄回路（網目）を示す図である。
浴槽２に高温水を導入してふろ水を溜める湯張りをする湯張り回路２Ｒは、図３に網目で図示される配管を含んで構成される。
具体的に、湯張り回路２Ｒは、貯湯タンク１の第一取出口１０ａと第二混合弁１１を接続する配管４１，９、貯湯タンク１の第二取出口１２と第二混合弁１１を接続する中間液体用配管１３、第二混合弁１１と第一混合弁１４を接続する配管１５、および第一混合弁１４と浴槽２の水流通口２ｉを接続する配管２９を含んで構成される。さらに、湯張り回路２Ｒには、水道管２２と第一混合弁１４を接続する配管７，２３ａ，２３ｃが含まれる。
【００３７】
このような構成の湯張り回路２Ｒを有する給湯機Ｓは、浴槽２に湯張りをする運転モード（以下、「湯張りモード」という）で運転される場合がある。以下、湯張りモードでの運転を「湯張り運転」と称する。
給湯機Ｓが湯張り運転されるとき、コントローラ１６は温度センサ５６から送信される水温信号に基づいて浴槽２に供給される高温水の水温を演算する。そして、コントローラ１６は、浴槽２に供給される高温水の水温が利用者によって設定されたふろ水の設定温度になるように、第二混合弁１１および第一混合弁１４を制御する。つまり、コントローラ１６は、第二混合弁１１と第一混合弁１４の開度を適宜調節し、配管２９を流通する高温水の水温が利用者によって設定されたふろ水の設定温度になるように、第一取出口１０ａから導出される高温水と、第二取出口１２から導出される中温水と、水道管２２から供給される清水を混合する。
このように、実施例１の給湯機Ｓは、貯湯タンク１に貯留される中温水をふろ水として利用することができ、中温水を効果的に消費できる。
【００３８】
中温水は、貯湯タンク１に貯留することが要求されている高温水より水温が低いため、貯湯タンク１に中温水が貯留されている場合には中温水をヒートポンプユニット８で加熱する必要がある。しかしながら、ヒートポンプは清水等の低温水を加熱するときの効率よりも、中温水を加熱するときの効率が低いため、大量の中温水を加熱するとヒートポンプユニット８による加熱の効率が低下し、ひいては、給湯機Ｓの運転効率が低下する。
したがって、貯湯タンク１における中温水の貯留量は少ないほうが好ましく、貯湯タンク１に中温水が貯留されている場合には、中温水を消費するなどして、貯湯タンク１における中温水の貯留量を減ずることが好ましい。
例えば、貯湯タンク１に第二取出口１２が備わって中温水を貯湯タンク１から容易に導出可能な構成とし、湯張り運転されるときに、中温水を貯湯タンク１から導出して浴槽２に供給できる構成の給湯機Ｓとすれば、貯湯タンク１に貯留される中温水を効果的に消費できる。
【００３９】
なお、湯張り回路２Ｒに、配管２９と流量調整弁３１を接続する配管２５、流量調整弁３１と配管３を接続する配管６３が含まれる構成であってもよい。
この構成によると、コントローラ１６は給湯機Ｓを湯張り運転するときに給湯ポンプ２７を稼動することによって、配管２９を流通する高温水の一部を配管２５に導入することができる。さらに、コントローラ１６は流量調整弁３１を切り換えることによって、配管２５を流通する高温水を配管６３，３を介して水流通口２ｏから浴槽２にふろ水として導入できる。したがって、浴槽２への高温水の導入経路を増やすことができ、効率よく湯張りできる。
【００４０】
また、実施例１のコントローラ１６は追い焚き熱交換器２４や配管等を洗浄する運転モード（以下、「洗浄モード」という）で給湯機Ｓを運転可能に構成される。そして、給湯機Ｓは、洗浄モードで運転されることによって追い焚き熱交換器２４が洗浄される。
以下、洗浄モードでの運転を「洗浄運転」と称する。
コントローラ１６が給湯機Ｓを洗浄モードで運転して（洗浄運転して）追い焚き熱交換器２４を洗浄するための洗浄回路２Ｗは、図４に網目で図示される配管を含んで構成される。
具体的に、洗浄回路２Ｗは、水道管２２と第一混合弁１４を接続する配管７，２３ａ，２３ｃと、第一混合弁１４と浴槽２の水流通口２ｉを接続する配管２９と、を含んで構成される。さらに、洗浄回路２Ｗには、追い焚き熱交換器２４の出口２４ｏと浴槽２の水流通口２ｏを接続する配管３と、追い焚き熱交換器２４の入口２４ｉと流量調整弁３１を接続する配管５８と、流量調整弁３１と配管３を接続する配管６３と、流量調整弁３１と配管２９を接続する配管２５と、第二取出口１２と第二混合弁１１を接続する中間液体用配管１３と、第二混合弁１１と第一混合弁１４を接続する配管１５と、が含まれる。
【００４１】
そして、コントローラ１６は、所定の条件が満たされたことを自動的に判定したときに、給湯機Ｓを洗浄運転して追い焚き熱交換器２４等を洗浄する。
例えば、コントローラ１６は浴槽２に溜まっているふろ水の水位を逐次監視する。コントローラ１６は、水位検知部５７から送信される水位信号で浴槽２におけるふろ水の水位を監視する。そして、コントローラ１６は浴槽２におけるふろ水の水位が所定の基準水位以下となったとき、利用者の入浴が終了してふろ水が排水されたと判定する。
【００４２】
コントローラ１６は、ふろ水が排水されたと判定したとき、第一混合弁１４を制御して配管２３ｃと配管２９を連通し、電磁弁２８を開弁する。これによって、水道管２２から浴槽２の水流通口２ｉまで連通し、清水（低温水）が水道管２２から配管７，２３ａ，２３ｃ，２９を流通して水流通口２ｉから浴槽２に導入される。浴槽２の排水口が開いていれば、水流通口２ｉから浴槽２に導入された清水は当該排水口から排水される。このとき、清水が流通する配管７，２３ａ，２３ｃ，２９が洗浄される。
【００４３】
また、コントローラ１６は、流量調整弁３１を制御して、配管２５と、配管６３と、配管５８を連通し、給湯ポンプ２７を起動する。配管２９を流通する清水の一部が配管２５に流入し、流量調整弁３１で配管６３と配管５８に流入する。配管６３に流入した清水は、配管６３，３を流通して水流通口２ｏから浴槽２に導入され、浴槽２の排水口から排水される。一方、流量調整弁３１で配管５８に流入した清水は、入口２４ｉから追い焚き熱交換器２４に導入され、追い焚き熱交換器２４を流通した後に出口２４ｏから配管３に流入する。そして、配管３を流通して水流通口２ｏから浴槽２に導入され、浴槽２の排水口から排水される。
これによって、清水が流通する配管２５，６３，５８，３、および追い焚き熱交換器２４が洗浄される。
【００４４】
なお、コントローラ１６は、例えば、給湯機Ｓを洗浄運転する時間が、予め設定されている所定時間を超えた場合や、洗浄回路２Ｗを構成する配管および追い焚き熱交換器２４を流通する清水の流量が所定の流量を超えたとき（例えば、「８Ｌ」の水道水が追い焚き熱交換器２４等を流通したとき）に、給湯機Ｓの洗浄運転を停止する。
【００４５】
給湯機Ｓが洗浄運転されるときに水道管２２から追い焚き熱交換器２４に供給される清水は水温が低い低温水であり、追い焚き熱交換器２４を流通するときに貯湯タンク１に貯留されている高温水を冷却する。これによって、貯湯タンク１に貯留されている高温水の水温が低下してしまう。貯湯タンク１に貯留されている高温水の水温が低下すると、コントローラ１６はヒートポンプユニット８を運転して貯湯タンク１に貯留されている高温水の水温を上昇させる。つまり、貯湯タンク１に貯留されている高温水の水温が低下するとヒートポンプユニット８が起動することになり、給湯機Ｓの運転効率が低下する。
【００４６】
そこで、実施例１のコントローラ１６は給湯機Ｓを洗浄運転するとき、貯湯タンク１の鉛直方向の中間部分付近の水温を検知する温度センサ（例えば、温度センサ４９）から入力されるタンク内水温信号に基づいて、貯湯タンク１に中温水が貯留されているか否かを判定する。
コントローラ１６は、温度センサ４９から入力されるタンク内水温信号に基づいて水温を演算する。そして、コントローラ１６は、演算した水温が、予め設定されている所定の温度帯（例えば、６０〜４０℃など）の範囲内にあるときに、貯湯タンク１の鉛直方向の中間部分に中温水が貯留されていると判定する。つまり、実施例１のコントローラ１６は、貯湯タンク１の中間部分に中温水が貯留されているか否かを判定する機能を有する。
【００４７】
そして、コントローラ１６は貯湯タンク１の鉛直方向の中間部分に中温水が貯留されていると判定した場合、第二混合弁１１を制御して中間液体用配管１３と配管１５を連通し、さらに、第一混合弁１４を制御して配管１５と配管２９を連通する。これによって、貯湯タンク１の中間部分に貯留されている中温水が、第二取出口１２から中間液体用配管１３に導入される。そして、貯湯タンク１から中間液体用配管１３に導入された中温水が中間液体用配管１３、配管１５を第一混合弁１４まで流通する。第一混合弁１４では配管１５を流通してきた中温水と配管２３ｃを流通してきた清水とが混合し、中温水との混合で水温が上昇した清水が配管２９，２５，５８，３を流通する。
【００４８】
したがって、追い焚き熱交換器２４には、中温水との混合で水温が上昇した清水が流通することになり、貯湯タンク１に貯留されている高温水の水温の低下が抑制される。また、貯湯タンク１の上下方向の中間部分に貯留されている中温水を給湯機Ｓの洗浄に利用することができ、中温水を効果的に消費できる。
【００４９】
このように、実施例１の給湯機Ｓは、洗浄回路２Ｗを構成する配管や追い焚き熱交換器２４の洗浄に中温水を利用することによって貯湯タンク１における中温水の貯留量を減らすことができ、給湯機Ｓの運転効率の低下を抑えることができる。
また、中温水を追い焚き熱交換器２４等の洗浄に利用するため、水資源を無駄にすることなく、貯湯タンク１における中温水の貯留量を減らすことができる。
【００５０】
図５は洗浄運転手順を示すフローチャートである。図５を参照して、コントローラ１６が給湯機Ｓを洗浄運転する手順（以下、「洗浄運転手順」と称する）を説明する（適宜図１〜４参照）。
【００５１】
なお、コントローラ１６は、所定のサイクルで洗浄運転手順を実行する。
コントローラ１６は、洗浄運転手順を開始すると、給湯機Ｓが湯張りモードで運転されているか否かを判定する（ステップＳ１）。そして、コントローラ１６は給湯機Ｓが湯張りモードで運転されているときは（ステップＳ１→Ｙｅｓ）、手順をステップＳ１に戻し、湯張りモードで運転されていないときは（ステップＳ１→Ｎｏ）、湯張りが正常に終了したか否かを判定する（ステップＳ２）。コントローラ１６は、湯張りが正常に終了していなければ、手順をステップＳ１に戻し（ステップＳ２→Ｎｏ）、湯張りが正常に終了していれば（ステップＳ２→Ｙｅｓ）、他のふろ機能が動作しているか否かを判定する（ステップＳ３）。ここでいう他のふろ機能は、追い焚き、足し湯、差し湯、差し水等である。
【００５２】
前記したような他のふろ機能が動作している場合（ステップＳ３→Ｙｅｓ）、コントローラ１６は手順をステップＳ１に戻し、他のふろ機能が動作していない場合（ステップＳ３→Ｎｏ）、コントローラ１６は所定時間待機する（ステップＳ４）。この所定時間は「水位安定待ち時間」と称し、前記した他のふろ機能が停止してから適当な時間（例えば、３０秒）が経過するまでコントローラ１６は手順をステップＳ３に戻す（ステップＳ４→Ｎｏ）。例えば、他のふろ機能の動作によって、浴槽２に溜まっているふろ水の水面が波立つと水位検知部５７は正確な水位を検知できない。そこで、実施例１では、他のふろ機能が停止してから、例えば、３０秒に設定される水位安定待ち時間はコントローラ１６による浴槽２の水位の演算を停止する。
換言すると、水位安定待ち時間は、他のふろ機能が停止してから、浴槽２に溜まっているふろ水の水面が安定するまでの時間に設定されることが好ましい。
【００５３】
他のふろ機能が停止してから水位安定待ち時間が経過したら（ステップＳ４→Ｙｅｓ）、コントローラ１６は浴槽２に溜まっているふろ水の水位と基準水位を比較する（ステップＳ５）。具体的にコントローラ１６は、水位検知部５７から送信される水位信号に基づいて浴槽２におけるふろ水の水位を演算し、演算した水位と予め決定されている基準水位を比較する。
そして、コントローラ１６は、浴槽２におけるふろ水の水位が所定の基準水位以上の場合は手順をステップＳ１に戻すが（ステップＳ５→Ｎｏ）、浴槽２におけるふろ水の水位が所定の基準水位未満の場合は（ステップＳ５→Ｙｅｓ）、当該水位が基準水位未満になってから所定の監視時間（「水位連続監視時間」と称する）が経過したか否かを判定する（ステップＳ６）。
【００５４】
例えば、利用者が浴槽２から出た直後などはふろ水の水面が大きく波立って水位も大きく変動するため、コントローラ１６が演算する水位が一時的に基準水位未満となる場合がある。このように、水面が大きく波立つ状態で演算された水位に基づいて給湯機Ｓが洗浄運転されると、利用者が入浴中であるにもかかわらず給湯機Ｓが洗浄運転されることになり利用者が不快感を感じる。
【００５５】
したがって、コントローラ１６は、演算した水位が基準水位未満になった場合であっても、所定の水位連続監視時間は水位検知部５７による水位の検知を継続する。このことによって、コントローラ１６が、水面の波立ち等による一時的な水位の低下をふろ水の排水終了と誤判定することを防止し、コントローラ１６は利用者が不快感を感じることなく給湯機Ｓを洗浄運転できる。
なお、水位連続監視時間は、例えば、水面の波立ちが解消するまでの時間であることが好ましく、実験計測等で予め決定されていることが好ましい。
【００５６】
そして、コントローラ１６は、ステップＳ６で水位連続監視時間が経過していないと判定した場合は手順をステップＳ３に戻す（ステップＳ６→Ｎｏ）。一方、ステップＳ６で水位連続監視時間が経過したと判定した場合（ステップＳ６→Ｙｅｓ）、コントローラ１６は浴槽２のふろ水が排水されたと判定して手順をステップＳ７に進める。
なお、水位連続監視時間が経過しない間（つまり、「ステップＳ６→Ｎｏ」の間）、ステップＳ３からステップＳ６の手順が所定の間隔（例えば、０．５秒間隔）で実行される構成としてもよい。
【００５７】
ステップＳ７で、コントローラ１６は、所定の待機時間（「洗浄開始待機時間」と称する）が経過するまで待機する（ステップＳ７→Ｎｏ）。そして、洗浄開始待機時間が経過したら（ステップＳ７→Ｙｅｓ）、コントローラ１６は給湯機Ｓを洗浄モードで運転する（ステップＳ８）。つまり、コントローラ１６は給湯機Ｓを洗浄運転する。
【００５８】
例えば、浴槽２に溜められたふろ水の排水が終了した直後は、洗浄回路２Ｗを構成する配管や追い焚き熱交換器２４にふろ水が残留している。追い焚き熱交換器２４等に残留するふろ水は、水流通口２ｉ，２ｏから浴槽２に導入されて排水されるが、その流量は少なく浴槽２におけるふろ水の水位は上昇しない。
【００５９】
つまり、水位検知部５７から送信される水位信号に基づいてコントローラ１６が演算する水位が基準水位未満であっても、追い焚き熱交換器２４等にふろ水が残留している場合がある。したがって、演算した水位が基準水位未満になった時点でコントローラ１６が給湯機Ｓを洗浄運転すると、追い焚き熱交換器２４等にふろ水が残留した状態で、給湯機Ｓが洗浄運転される場合がある。
これによって、洗浄回路２Ｗを構成する配管や追い焚き熱交換器２４に汚れたふろ水が導入されることになり、洗浄の効果が低下する。
【００６０】
そこで、実施例１に係る給湯機Ｓは、コントローラ１６が演算する水位が基準水位未満になってから（ステップＳ５→Ｙｅｓ）、所定の洗浄開始待機時間が経過した後に（ステップＳ７→Ｙｅｓ）、給湯機Ｓの洗浄運転が開始される構成とした。洗浄開始待機時間が経過する間に追い焚き熱交換器２４等に残留するふろ水が排水されるため、洗浄の効果の低下が抑制される。
したがって、洗浄開始待機時間は、追い焚き熱交換器２４等に残留するふろ水が排水されるのに充分な時間であることが好ましい。
【００６１】
以上のように、実施例１のコントローラ１６（図１参照）は、図５に示す手順で浴槽２（図１参照）のふろ水が排水されたと判定し、給湯機Ｓ（図１参照）の洗浄運転を開始する。そして、コントローラ１６は、給湯機Ｓを洗浄運転するとき、貯湯タンク１に中温水が貯留されている場合は、中温水が洗浄に利用されるように第二混合弁１１（図１参照）や第一混合弁１４（図１参照）を制御する。したがって、水資源を無駄にすることなく、貯湯タンク１における中温水の貯留量を減らすことができる。
また、コントローラ１６は、給湯機Ｓを洗浄運転するとき、図５に示すステップＳ４で水位安定待ち時間が経過するまで待機する構成であり、浴槽２（図１参照）に溜まっているふろ水の水面が安定するまで浴槽２におけるふろ水の水位の判定をしない。したがって、コントローラ１６は、精度よく、浴槽２におけるふろ水の水位を判定できる。
【００６２】
また、コントローラ１６（図１参照）は、所定の水位連続監視時間が経過するまで、浴槽２（図１参照）におけるふろ水の水位の演算を継続する（ステップＳ６→Ｎｏ）。これによって、ふろ水の水面の波立ち等による一時的な水位の低下時に、給湯機Ｓ（図１参照）の洗浄運転が開始されること、が回避される。
さらに、コントローラ１６は、浴槽２におけるふろ水の水位が基準水位未満になったと判定してから、所定の洗浄開始待機時間が経過するまで待機する（ステップＳ７→Ｙｅｓ）。これによって、追い焚き熱交換器２４（図１参照）等に残留するふろ水が排水されてから給湯機Ｓの洗浄運転が開始される。したがって、給湯機Ｓの洗浄運転で、汚れたふろ水が追い焚き熱交換器２４等に流れ込むことが防止されて洗浄効果の低下が抑制される。
【００６３】
《変形例１》
図６の（ａ）は操作部の表示パネルに表示されるメニュー画面を示す図、（ｂ）は「ｅｃｏスマート洗浄」の項目にカーソルが移動した状態を示す図、（ｃ）は「ｅｃｏスマート洗浄」の項目が「入」に切り替わった状態を示す図である。
【００６４】
実施例１の給湯機Ｓ（図１参照）は、洗浄運転されるときに貯湯タンク１の第二取出口１２（図１参照）から中温水が導出され、追い焚き熱交換器２４等の洗浄に中温水が利用される構成とした。しかしながら、変形例１として、追い焚き熱交換器２４等の洗浄に中温水を利用するか否かを利用者が設定可能な構成であってもよい。
【００６５】
図６の（ａ）に一例を示すように、利用者の操作によって、中温水を利用するか否かを選択する項目（例えば「ｅｃｏスマート洗浄  入／切」）を有するメニュー画面Ｍ１が表示パネル６０ｃに表示され、利用者が「ｅｃｏスマート洗浄」の「入」と「切」を設定可能な構成であってもよい。
そして、「ｅｃｏスマート洗浄」が「入」に設定されている場合に、コントローラ１６が中温水を利用して給湯機Ｓを洗浄運転する構成とすれば、給湯機Ｓが洗浄運転されるときに中温水を利用するか否かを利用者が設定できる。
なお、「ｅｃｏスマート洗浄」の名称は一例に過ぎず他の名称であってもよい。
【００６６】
操作部６０におけるメニュー画面Ｍ１の操作手順は限定されるものではない。例えば、以下に示すような操作手順とすればよい。
１．利用者はメニュースイッチ６０ｂ２を操作して、図６の（ａ）に示すようなメニュー画面Ｍ１を表示する。
２．利用者はアップキー６０ｂ３またはダウンキー６０ｂ４を操作して、図６の（ｂ）に示すように、「ｅｃｏスマート洗浄」の項目にカーソルＣ１（反転文字）を移動する。
３．利用者は左キー６０ｂ５または右キー６０ｂ６を操作して、「ｅｃｏスマート洗浄」の「入」と「切」を切り換える。
４．給湯機Ｓが洗浄運転されるときに中温水を利用する場合、図６の（ｃ）に示すように、「入」が表示されている状態のときに利用者は決定ボタン６０ｂ７を操作して、「ｅｃｏスマート洗浄」を「入」に設定する。
操作部６０は、利用者が設定した「ｅｃｏスマート洗浄」の「入」または「切」を示すデータを、通信部６０ｅ（図２の（ａ）参照）を介してコントローラ１６（図１参照）に送信する。
【００６７】
操作部６０（風呂リモコン４５，台所リモコン４６）が、以上のような操作手順で操作されるメニュー画面Ｍ１を備えることによって、利用者が容易に中温水の利用を設定できる給湯機Ｓ（図１参照）になる。
【００６８】
図７は、利用者が中温水を利用するか否かを設定可能な給湯機の洗浄運転手順を示すフローチャートである。図７を参照して、コントローラ１６が給湯機Ｓを洗浄運転する手順を説明する（適宜図１〜５参照）。
【００６９】
図７におけるステップＳ１からステップＳ７は図５におけるステップＳ１からステップＳ７と同じ手順であり、詳細な説明は省略する。
【００７０】
コントローラ１６はステップＳ７で所定の洗浄開始待機時間が経過したと判定したら（ステップＳ７→Ｙｅｓ）、利用者によって、「ｅｃｏスマート洗浄」が「入」に設定されているか否かを判定する（ステップＳ１８）。そして、「ｅｃｏスマート洗浄」が「入」に設定されている場合（ステップＳ１８→Ｙｅｓ）、コントローラ１６は、貯湯タンク１に中温水が貯留されているか否かを判定する（ステップＳ１９）。一方、ステップＳ１８で「ｅｃｏスマート洗浄」が「入」に設定されていない場合（ステップＳ１８→Ｎｏ）、つまり、「ｅｃｏスマート洗浄」が「切」に設定されている場合、コントローラ１６は、給湯機Ｓを洗浄モードで運転するときに中温水を利用しない（ステップＳ２１）。つまり、コントローラ１６は中温水を利用しないで給湯機Ｓを洗浄運転する。
【００７１】
具体的にコントローラ１６は、給湯機Ｓを洗浄運転するとき、図４に示す洗浄回路２Ｗにおいて、第二混合弁１１を制御して中間液体用配管１３と配管１５を非連通の状態にする。これによって、第二取出口１２から中間液体用配管１３に導入された中温水は配管１５に流入せず、中温水は洗浄回路２Ｗを構成する配管や追い焚き熱交換器２４を流通しない。よって、中温水は焚き熱交換器２４等の洗浄に利用されない。
【００７２】
コントローラ１６は、ステップＳ１９で貯湯タンク１に中温水が貯留されていると判定した場合（ステップＳ１９→Ｙｅｓ）、給湯機Ｓを洗浄モードで運転するときに中温水を利用する（ステップＳ２０）。つまり、コントローラ１６は中温水を利用して給湯機Ｓを洗浄運転する。
【００７３】
具体的にコントローラ１６は、給湯機Ｓを洗浄運転するとき、図４に示す洗浄回路２Ｗにおいて、第二混合弁１１を制御して中間液体用配管１３と配管１５を連通する。また、コントローラ１６は第一混合弁１４を制御して配管１５と配管２９を連通する。これによって、第二取出口１２から中間液体用配管１３に導入された中温水は、配管１５に流入し、第一混合弁１４で清水と混合した後に洗浄回路２Ｗを構成する配管や追い焚き熱交換器２４を流通する。したがって、追い焚き熱交換器２４等の洗浄に中温水が利用される。
【００７４】
なお、コントローラ１６は、ステップＳ１９で貯湯タンク１に中温水が貯留されていないと判定した場合（ステップＳ１９→Ｎｏ）、手順をステップＳ２１に進め、給湯機Ｓを洗浄モードで運転するときに中温水を利用しない。
【００７５】
以上のように、コントローラ１６は、利用者によって中温水を利用するように設定されている場合、給湯機Ｓを洗浄運転するときに、貯湯タンク１に貯留されている中温水を洗浄回路２Ｗを構成する配管や追い焚き熱交換器２４に流通させて、貯湯タンク１における中温水の貯留量を減ずることができる。
【００７６】
《変形例２》
また、ヒートポンプユニット８（図１参照）に供給される電力の使用料金が安い時間帯（例えば、夜間割引料金が適用される夜間割引料金時間帯）など、あらかじめ決定されている特定の時間帯に、ヒートポンプユニット８が運転されて貯湯タンク１（図１参照）に貯留されている低温水を加熱する（沸き上げる）ように設定されている給湯機Ｓ（図１参照）もある。
このような給湯機Ｓにおいては、変形例２として、コントローラ１６が、ヒートポンプユニット８による低温水の加熱を開始する特定の時間帯の直前に給湯機Ｓを洗浄運転する構成であってもよい。
【００７７】
図４に示す給湯機Ｓの洗浄運転で貯湯タンク１に貯留されている中温水が利用されると、利用者に供給可能な中温水が減る。しかしながら、コントローラ１６は、給湯機Ｓの洗浄運転が終了した後にヒートポンプユニット８による低温水の加熱を開始するため、貯湯タンク１には高温水が貯留される。したがって、利用者に供給される高温水の不足が解消される。
また、夜間割引料金が適用される時間帯など、電力の使用料金が安い時間帯は、一般的に利用者が高温水を利用する頻度が低い時間帯であり、貯湯タンク１に貯留される高温水や中温水が減少しても利用者に対する影響は小さい。
【００７８】
図８は、ヒートポンプユニットが特定の時間帯に貯湯タンクの低温水を加熱するように設定されている給湯機の洗浄運転手順を示すフローチャートである。図８を参照して、コントローラ１６が給湯機Ｓを洗浄運転する手順を説明する（適宜図１〜５参照）。
【００７９】
図８におけるステップＳ１からステップＳ７、およびステップＳ１８からステップＳ２１は図６におけるステップＳ１からステップＳ７、およびステップＳ１８からステップＳ２１と同じ手順であり、詳細な説明は省略する。
【００８０】
コントローラ１６は、ステップＳ７で所定の洗浄開始待機時間が経過したと判定したら（ステップＳ７→Ｙｅｓ）、貯湯タンク１に貯留されている低温水を加熱するためにヒートポンプユニット８を運転する特定の時間帯の直前であるか否かを判定する（ステップＳ３０）。コントローラ１６はステップＳ３０で、夜間割引料金が適用される時間帯の直前になったか否かを判定する。
例えば、夜間割引料金が深夜２２時から翌朝７時まで適用され、給湯機Ｓが２０分間洗浄運転される場合、コントローラ１６はステップＳ３０で、２１時４０分になったか否かを判定する。
コントローラ１６は、ヒートポンプユニット８を運転する特定の時間帯の直前でなければそのまま待機し（ステップＳ３０→Ｎｏ）、ヒートポンプユニット８を運転する特定の時間帯の直前であれば手順をステップＳ１８に進める（ステップＳ３０→Ｙｅｓ）。
【００８１】
コントローラ１６は給湯機Ｓを洗浄運転するときに、ヒートポンプユニット８を運転する特定の時間帯の直前であるか否かを判定する手順（ステップＳ３０）を実行することにより、ヒートポンプユニット８を運転する直前に給湯機Ｓを洗浄運転することができる。したがって、洗浄回路２Ｗを構成する配管や追い焚き熱交換器２４の洗浄に中温水が利用される場合であっても、給湯機Ｓが洗浄運転された後に貯湯タンク１に貯留されている低温水が加熱されるため、給湯機Ｓの洗浄運転で貯湯タンク１に貯留される高温水や中温水が減少することの影響は小さい。
【００８２】
また、前記したように、給湯機Ｓが洗浄運転される時に貯湯タンク１に貯留される中温水が利用されない場合、貯湯タンク１の上部に貯留される高温水の水温が低下する。このような場合であっても、給湯機Ｓが洗浄運転された後にヒートポンプユニット８が運転されるため、貯湯タンク１には高温水が貯留される。したがって、給湯機Ｓが洗浄運転されたことによって貯湯タンク１に貯留される高温水の水温が低下することの影響を小さくできる。
【実施例２】
【００８３】
図９は実施例２に係る給湯機の構成を示す図である。
なお、図９に示す給湯機Ｓ２において、図１に示す給湯機Ｓと同等の又は対応する構成については同じ符号を付し、詳細な説明は省略する。
【００８４】
図９に示すように、貯湯タンク１０１の上部には第一取出口１０ａが形成され、第一取出口１０ａには配管４１が接続される。そして、配管４１から配管９が分岐している。また、貯湯タンク１０１の鉛直方向の中間部分に第二取出口１２が形成され、第二取出口１２には中間液体用配管１３が接続される。中間液体用配管１３は第二混合弁１１を介して配管９と接続されている。
【００８５】
そして、実施例２の給湯機Ｓ２は、配管９に追い焚き熱交換器１２４が備わる。つまり、実施例２の給湯機Ｓ２は貯湯タンク１０１の外部に追い焚き熱交換器１２４が配設されている。また、実施例２の給湯機Ｓ２には、水道管２２から供給される清水の水圧を減圧する減圧弁６（図１参照）が配設されない。したがって、水道管２２における圧力の清水（低温水）がそのまま給湯熱交換器４に供給される。そして、貯湯タンク１０１にはシスターンタンクＣＴが備わっている。
【００８６】
なお、実施例２の給湯機Ｓ２には、配管２９と三方弁１１７を介して接続される配管１２９が備わる。配管１２９は三方弁１１７と貯湯タンク１０１を連通する配管であり、給湯機Ｓ２は配管１２９が備わることによって、追い焚き熱交換器２４で浴槽２から導出されたふろ水と熱交換して水温が低下した高温水を貯湯タンク１０１に導入することができる。
【００８７】
コントローラ１６は、給湯機Ｓ２を洗浄運転する場合、第一混合弁１４、三方弁１１７を制御して配管２３ｃと配管２９を連通し、電磁弁２８を制御して開弁し、さらに給湯ポンプ２７を駆動する。これによって、シスターンタンクＣＴに貯水されている清水が配管２３ｃ，２９を流通し、水流通口２ｉから浴槽２に導入されて浴槽２の排水口から排水される。このとき清水が流通する配管２３ｃ，２９が洗浄される。また、配管２９を流通する清水の一部は配管２５，５８、追い焚き熱交換器１２４、配管３の順に流通し、水流通口２ｏから浴槽２に導入されて浴槽２の排水口から排水される。このとき清水が流通する配管２５，５８，３、追い焚き熱交換器１２４が洗浄される。
【００８８】
なお、コントローラ１６は、給湯機Ｓ２を洗浄運転するときも第二混合弁１１を制御して中間液体用配管１３と配管１５を連通するとともに、第一混合弁１４を制御して配管１５と配管２９を連通する。このとき、第二取出口１２から導出された中温水が流通する配管１３，１５，２９，２５，３、および追い焚き熱交換器１２４が洗浄される。
【００８９】
実施例２の給湯機Ｓ２が洗浄運転されるときに中温水を利用するか否かは、実施例１と同様の手順でコントローラ１６が判定すればよい。また、実施例１の変形例１と同様に、中温水を利用するか否かを利用者が設定する構成であってもよい。
また、実施例２の給湯機Ｓ２を、実施例１の変形例２の給湯機Ｓ（図１参照）と同様に、夜間割引料金が適用される時間帯の直前など、貯湯タンク１０１に貯留される低温水をヒートポンプユニット８で加熱する前に給湯機Ｓ２が洗浄運転される構成としてもよい。
【００９０】
実施例２の給湯機Ｓ２は、図９に示すように、追い焚き熱交換器１２４が貯湯タンク１０１の外部に配設されている。このような構成の給湯機Ｓ２であっても、洗浄運転されるときに貯湯タンク１０１の鉛直方向の中間部分に貯留される中温水を追い焚き熱交換器１２４等の洗浄に利用できる。したがって、貯湯タンク１０１に貯留されている中温水を効果的に消費できる。
【００９１】
なお、本発明は前記した実施例に限定されるものではない。例えば、前記した実施例は本発明をわかりやすく説明するために詳細に説明したものであり、必ずしも説明した全ての構成を備えるものに限定されるものではない。
また、ある実施例の構成の一部を他の実施例の構成に置き換えることも可能であり、また、ある実施例の構成に他の実施例の構成を加えることも可能である。
【００９２】
例えば、実施例１において、給湯機Ｓ（図１参照）の洗浄運転に中温水が利用される場合、中温水の水温が高温（例えば、６０℃以上）であると、浴槽２（図１参照）には排水時に高温の中温水が導入されることになり、利用者が高温の中温水と不意に接触する虞がある。このような状態を回避するため、コントローラ１６（図１参照）は、温度センサ５６（図１参照）から送信される水温信号に基づいて演算する水温が所定の温度（例えば、５０℃）以下となるように、第一混合弁１４（図１参照）を制御して中温水に清水を混合する構成であってもよい。このような構成にすれば、排水時に浴槽２に導入される中温水の水温が低温になり、利用者が不意に接触してもなんら問題ない。
実施例２についても同様の構成とすることができる。
【００９３】
また、例えば、実施例１において、給湯機Ｓ（図１参照）が洗浄運転されるときに中温水が利用される場合、洗浄運転が終了する前に貯湯タンク１（図１参照）の中温水が無くなることがある。そこで、コントローラ１６（図１参照）は、貯湯タンク１の中温水が無くなったと判定したときに、第二混合弁１１（図１参照）を制御して中間液体用配管１３（図１参照）と配管１５（図１参照）を非連通にするとともに、第一混合弁１４（図１参照）を制御して配管２３ｃ（図１参照）と配管２９（図１参照）を連通する構成としてもよい。このような構成にすれば、洗浄運転の最中に貯湯タンク１に中温水が無くなったときに、貯湯タンク１に貯留されている高温水が導出されること、が回避される。
【００９４】
また、コントローラ１６（図１参照）は貯湯タンク１に貯留される中温水がなくなるまで給湯機Ｓ（図１参照）を洗浄運転する構成であってもよい。例えば、洗浄回路２Ｗを構成する配管および追い焚き熱交換器２４を流通する清水の流量が所定の流量（８Ｌ等）を超えたときに貯湯タンク１に中温水が貯留されている場合、コントローラ１６は貯湯タンク１に貯留される中温水が無くなるまで洗浄運転を継続する構成であってもよい。
【００９５】
なお、コントローラ１６（図１参照）は、例えば温度センサ４９（図１参照）から送信されるタンク内水温信号に基づいて演算する水温が、予め設定されている所定の温度帯の範囲外のときに、貯湯タンク１に貯留される中温水が無くなったと判定する構成とすればよい。
また、実施例２についても同様の構成とすることができる。
【００９６】
この他、本発明は、前記した実施例に限定されるものではなく、発明の趣旨を逸脱しない範囲で適宜設計変更が可能である。
例えば、実施例１の給湯機Ｓ（図１参照）や実施例２の給湯機Ｓ２（図９参照）は加熱装置としてヒートポンプユニット８を備える構成としたが、ヒートポンプユニット８以外の加熱装置（電気湯沸かし器，ガス湯沸かし器等）が備わる構成であってもよい。
【００９７】
また、実施例１，２は貯湯タンク１（貯湯タンク１０１）から浴槽２に高温水を供給する給湯機Ｓ（給湯機Ｓ２）としたが、貯湯タンク１（貯湯タンク１０１）から高温水が供給される端末は浴槽２に限定されるものではない。
【符号の説明】
【００９８】
１，１０１  貯湯タンク
２      浴槽（給湯端末）
８      ヒートポンプユニット（加熱装置）
１２    第二取出口（中間液体取出口）
１３    中間液体用配管
１６    コントローラ
２４    追い焚き熱交換器（再加熱用熱交換器）
４７，４８，４９，５０，５１，５２  温度センサ
Ｓ，Ｓ２  給湯機
【図１】
2014163534.tif 000003
【図２】
2014163534.tif 000004
【図３】
2014163534.tif 000005
【図４】
2014163534.tif 000006
【図５】
2014163534.tif 000007
【図６】
2014163534.tif 000008
【図７】
2014163534.tif 000009
【図８】
2014163534.tif 000010
【図９】
2014163534.tif 000011